(57)【要約】  【課題】観音開き方式の扉による貯蔵室内の収納スペースを増加させ、かつ使い勝手をも向上させた冷蔵庫を提供することを目的とする。  【解決手段】貯蔵室を閉塞する扉６０ａ、６０ｂは左右に分割されたものであり、前記貯蔵室内には複数の庫内棚８０を設け、また前記扉には複数のドアポケット９０、９１を設けて左右で奥行き寸法を異なるものにするとともに、庫内棚８０はドアポケット９０、９１よりも貯蔵室内側に配置し、かつ庫内棚の最前辺９６を、左右に分割された扉の奥行き寸法が大きい側のドアポケットの最奥辺９７より、庫内手前側に位置することを設けたものであり、ドアポケット９０、９１の無効スペースを小さくし、貯蔵室内の収納スペースを増加させるとともに、収納物の形状に見合った収納空間を構成することによる効率の良い区分収納が可能となる。【選択図】図３
2008151409.tif 000002
【特許請求の範囲】
【請求項１】
冷蔵庫本体を形成する断熱箱体と、前記断熱箱体内に区画された貯蔵室と、前記貯蔵室の前面開口を塞ぐ扉とを備え、前記扉は前記貯蔵室の略全高に渡って分割された左右の扉であり、前記貯蔵室内には収納物を載置するための庫内棚を設け、左右の前記扉にはそれぞれドアポケットを設け、前記ドアポケットは左右の前記扉で貯蔵室内側に突出する奥行き寸法を異なるものにするとともに、前記庫内棚は、前記ドアポケットよりも貯蔵室内側に配置し、かつ前記扉側を前方としたときに、前記庫内棚の最前辺が、左右の前記扉の奥行き寸法が大きい側の前記ドアポケットの最奥辺より、庫内手前側に位置することを特徴とする冷蔵庫。
【請求項２】
前記庫内棚は、収納物を載置する載置面の奥行き寸法が幅方向で異なるように、前辺の前後方向に段差を設けた請求項１に記載の冷蔵庫。
【請求項３】
左右に分割された前記扉は、左右両側に向かって回転して開く観音開き方式の扉とした請求項１または２に記載の冷蔵庫。
【請求項４】
左右どちらか一方の前記扉のうち、前記ドアポケットの奥行き寸法が大きい方の形状に相対して、前記庫内棚の前辺に奥行き方向の凹み部を設けて前記段差を形成した請求項２または３に記載の冷蔵庫。
【請求項５】
前記扉は、左扉と右扉で幅方向の寸法が異なるようにし、幅方向の小さい前記扉の前記ドアポケットは、幅方向の大きい前記扉の前記ドアポケットに比べて奥行き寸法を小さく構成した請求項１から４のいずれか一項に記載の冷蔵庫。
【請求項６】
前記庫内棚は、前記貯蔵室の上下方向に複数配置され、上段から下段までの庫内棚の前記前辺を奥行き方向の略同一の位置で構成した請求項１から５のいずれか一項に記載の冷蔵庫。
【請求項７】
前記庫内棚は、透明性を有した平板状の材質で構成した請求項１から６のいずれか一項に記載の冷蔵庫。
【請求項８】
前記庫内棚は、平板状のガラスで構成された請求項７に記載の冷蔵庫。
【請求項９】
前記庫内棚は、左辺、右辺及び後辺のうち少なくとも一辺が、前記断熱箱体の内箱に支持され、前辺部の端面または前辺部を含む４辺が樹脂部材で覆われた請求項７または８に記載の冷蔵庫。
【請求項１０】
前記貯蔵室を冷蔵室とし、冷蔵庫を形成する前記断熱箱体の最上部に位置させた請求項１から９のいずれか一項に記載の冷蔵庫。
【発明の詳細な説明】
【技術分野】
【０００１】
本発明は、冷蔵庫のドア及び庫内の収納量及び収納性に関するものである。
【背景技術】
【０００２】
従来、冷蔵庫はドア収納棚と庫内収納棚に収納物を載置するよう構成され、収納目的に応じて、特許文献１に参照するように、その大きさの配分を変化させることが提案されている。
【０００３】
図７，図８は、特許文献１に記載された従来の冷蔵庫を示すものである。図７は冷蔵庫本体１を開扉した状態を示す斜視図であり、図８は冷蔵庫本体１の平面断面図である。
【０００４】
断熱箱体で形成された冷蔵庫本体１は、その内部を貯蔵空間として最上部に最も大きい冷蔵室２を配設し、その下方に野菜室３を設けている。野菜室３の下方には自動製氷装置を配置した製氷室４と温度切替室５を併設し、最下部には冷凍室６をそれぞれ独立して配置し、各貯蔵室の前面開口には各々専用の扉を開閉自在に設けている。
【０００５】
冷蔵室２内には、図７に示すように複数の棚１０を配置して複数段に亙る貯蔵品の収納空間を形成しており、その前面開口には、それぞれ外側端の上下部をヒンジ１１で枢支した左扉１２及び右扉１３を回動自在に設置し、観音開き方式で閉塞している。
【０００６】
左右両扉１２、１３には複数のドアポケット２０を配置して複数段に亙る貯蔵品の収納空間を形成していて、特に図示しないが凸部１９に着脱自在に係合するよう構成されている。
【０００７】
また、図８に示すように最下段に設けたドアポケット２１は、後段収納部２２と前段収納部２３とから構成されていて、その貯蔵室内側に棚７が配置されている。前段収納部２３は後段収納部２２から簡単に着脱でき、扉が９０度程度までしか開閉できない場合には前段収納部２３を取り外して、冷蔵室２の開口を広げて貯蔵物の出し入れをしやすくすることができ、また扉が９０度以上開く時には前段収納部２３を取り付けて収納量を増加させるといった使い分けができる。
【特許文献１】特開２００５−２８２８９７号公報
【発明の開示】
【発明が解決しようとする課題】
【０００８】
しかしながら、上記従来の構成では、冷蔵庫本体の外側端を中心に一方の扉を回転させて開ける際、他方の扉と干渉しないためにドアポケットをその回転軌跡以内に収めようとすると、両ドアポケットとの空間及び庫内棚とドアポケットとの空間がますます大きくなり無効スペースの増加につながっていた。
【０００９】
また、近年、ドアポケットは主に収納するペットボトルやビン類などが使用者にとって出し入れしやすいといった利便性の観点からもドアポケットの奥行きが大きくなる傾向があり、さらに無効スペースが増加するという課題を有していた。
【００１０】
また、使用環境において壁などが左右に存在する際に、両扉が９０度程度しか開けられない状態で、前段収納部を取り外すと、さらにドアポケットの収納スペースは減少してしまうという問題があった。
【００１１】
また、ドアポケットは奥行き寸法が大きくなればなるほど回転軌跡によって三角形に近い形状となり、収納物例えばペットボトルや牛乳パックなどが効率良く収納できないといった観音開き方式特有である収納量の減少及び収納性の悪化という両面での課題を有していた。
【００１２】
本発明は、上記従来の課題を解決するもので、観音開き方式による上述したような無効スペースを極力小さくし、ドアポケットおよび貯蔵室内の庫内棚の収納スペースを増加させることはもちろん、収納物の形状や大きさに見合った収納空間を構成することによる、貯蔵室内の効率の良い区分収納が可能となる冷蔵庫を提供することを目的とする。
【課題を解決するための手段】
【００１３】
本発明の冷蔵庫は、冷蔵庫本体を形成する断熱箱体と、前記断熱箱体内に区画された貯蔵室と、前記貯蔵室の前面開口を塞ぐ扉とを備え、前記扉は前記貯蔵室の略全高に渡って分割された左右の扉であり、前記貯蔵室内には収納物を載置するための庫内棚を設け、左右の前記扉にはそれぞれドアポケットを設け、前記ドアポケットは左右の前記扉で貯蔵室内側に突出する奥行き寸法を異なるものにするとともに、前記庫内棚は、前記ドアポケットよりも貯蔵室内側に配置し、かつ前記扉側を前方としたときに、前記庫内棚の最前辺が、左右の前記扉の奥行き寸法が大きい側の前記ドアポケットの最奥辺より、庫内手前側に位置するものである。
【００１４】
これによって、観音開き方式による上述したような無効スペースを極力小さくし、ドアポケットおよび貯蔵室内の庫内棚の収納スペースを増加させることはもちろん、収納物の形状や大きさに見合った収納空間を構成することによる、貯蔵室内の効率の良い区分収納が可能となる。
【発明の効果】
【００１５】
本発明の冷蔵庫は、観音開き方式の扉を有する貯蔵室内の無効スペースを、庫内棚及びドアポケットの形状に工夫を凝らし、極めて小さくすることで、ドアポケット及び貯蔵室内の庫内棚の収納スペースを飛躍的に増加させることができる。さらに、ペットボトルやドレッシングといった様々な種類の収納物の形状、大きさ、目的に応じた区分収納をすることで収納性の向上も図ることができる。
【００１６】
また、庫内棚の奥行き寸法を極めて大きくすることが可能となるので、取っ手つきの鍋などの比較的長い寸法の収納物も邪魔にならずに簡単に出し入れすることができるといった利便性も有する。
【００１７】
また、貯蔵室内の庫内棚に奥行き寸法の大きい区画、奥行き寸法の小さい区画という前後方向の段差を設け、さらにこの段差を滑らかなウェーブ状にし、使用者の目線位置に配置するよう貯蔵室配置を構成すれば、見た目にもキレイなものとなり、デザイン的にも良いものにすることが可能となる。
【発明を実施するための最良の形態】
【００１８】
請求項１に記載の発明は、冷蔵庫本体を形成する断熱箱体と、前記断熱箱体内に区画された貯蔵室と、前記貯蔵室の前面開口を塞ぐ扉とを備え、前記扉は前記貯蔵室の略全高に渡って分割された左右の扉であり、前記貯蔵室内には収納物を載置するための庫内棚を設け、左右の前記扉にはそれぞれドアポケットを設け、前記ドアポケットは左右の前記扉で貯蔵室内側に突出する奥行き寸法を異なるものにするとともに、前記庫内棚は、前記ドアポケットよりも貯蔵室内側に配置し、かつ前記扉側を前方としたときに、前記庫内棚の最前辺が、左右の前記扉の奥行き寸法が大きい側の前記ドアポケットの最奥辺より、庫内手前側に位置するものである。
【００１９】
これによって、両ドアポケットとの間にできる空間及び庫内棚とドアポケットとの間にできる空間、すなわち収納にとっての無効スペースを極めて小さくし、貯蔵室内の収納スペースを増加させるとともに、貯蔵室内を比較的収納スペースが小さいドアポケット、一方比較的収納スペースの大きいドアポケットと庫内棚という大きく３つの区画にわけることができ、収納物の大きさや目的に応じて収納することで、効率の良い区分収納が可能となる。例えば、収納スペースの小さいドアポケットは、そのスペースに合わせた調味料やドレッシングなどのビン、小物等、逆に収納スペースの大きいドアポケットには、ペットボトルや牛乳パックといった飲料を入れるなどできる。
【００２０】
請求項２に記載の発明は、請求項１に記載の発明において、前記庫内棚は、収納物を載置する載置面の奥行き寸法が幅方向で異なるように、前辺の前後方向に段差を設けたものであり、庫内棚を２つの収納区画、すなわち奥行き寸法の大きい区画、逆に小さい区画を設けることができ、収納物の大きさとともに、特に長さ方向に対するフレキシブル性が良化するので、使用者にとっての収納効率、出し入れ性が飛躍的に向上する。
【００２１】
また、貯蔵室内の棚の奥行き寸法を非常に大きくすることが可能となるので、取っ手付きの鍋などの比較的長い寸法の収納物も邪魔にならずに簡単に出し入れすることができるといった利便性も有する。
【００２２】
また段差を滑らかなウェーブ状に構成し、さらに貯蔵室後方をフラットな形状にすることが可能となるので、冷気を噴き出すダクト等がシンプルに構成でき、見た目にも良くデザイン性にも優れたものになる。
【００２３】
請求項３に記載の発明は、請求項１または２に記載の発明において、左右に分割された前記扉は、左右両側に向かって回転して開く観音開き方式の扉としたものであり、観音開き方式の扉を有する貯蔵室内の無効スペースを、ドアポケット及び庫内棚の形状に工夫を凝らし、極めて小さくすることで、ドアポケット及び貯蔵室内の庫内棚の収納スペースを飛躍的に増加させることができる。さらに、ペットボトルやドレッシングといった様々な種類の収納物の形状、大きさ、目的に応じた区分収納をすることで収納性の向上も図ることができる。
【００２４】
また、使用者を中心にした扉の回転半径が小さいことによる、扉の開けやすさや貯蔵室内の見渡しやすさ、ひいては収納物の出し入れ性が向上するとともに、必要に応じて左右扉の開閉を使い分けることで、貯蔵室全体を開放しなくて済み省エネにも繋がる。
【００２５】
請求項４に記載の発明は、請求項２または３に記載の発明において、左右どちらか一方の前記扉のうち、前記ドアポケットの奥行き寸法が大きい方の形状に相対して、前記庫内棚の前辺に奥行き方向の凹み部を設けて前記段差を形成したものであり、奥行きの大きいドアポケット側の方が、扉の回転によりさらに大きな無効スペースが発生することから、その無効スペースを極めてするために、ドアポケットの形状に沿った形で庫内棚を形成することで、さらに収納スペースを増加させるにはより効果が大きい。
【００２６】
請求項５に記載の発明は、請求項１から４のいずれか一項に記載の発明において、前記扉は、左扉と右扉で幅方向の寸法が異なるようにし、幅方向の小さい前記扉の前記ドアポケットは、幅方向の大きい前記扉の前記ドアポケットに比べて奥行き寸法を小さく構成したものであり、幅方向の小さい扉は回転軌跡の半径が小さくなり、その分貯蔵室内の無効スペースも増加することから言えば、幅方向の小さい扉の奥行き寸法を小さくし無効スペースを小さくするとともに庫内棚を前方へ延長させることは貯蔵室内トータルの収納スペースを増加させるにはより効果的である。
【００２７】
また、ドアポケットの奥行きを小さくすることで、例えば９０度しか開かない場合であっても、扉を開けた時の間口を大きくとれ、貯蔵室内の収納物が比較的楽に確認できるとともに、庫内棚に載置された収納物を比較的簡単に出し入れできるといった利便性も有する。
【００２８】
さらに、収納量の非常に少ないドアポケット、収納量の非常に多いドアポケット、奥行きが違い段差を設けた庫内棚と、様々な収納物を入れる貯蔵室を大きく３つに区分できるとともに、普段よく使用するものを大きい扉側に収納することで、比較的大きなものでも出し入れできるので、たいていの扉開閉は大きい扉側の開閉だけで事足りるので、使用者の使い勝手も向上する。
【００２９】
請求項６に記載の発明は、請求項１から５のいずれか一項に記載の発明において、前記庫内棚は、前記貯蔵室の上下方向に複数配置され、上段から下段までの庫内棚の前記前辺を奥行き方向の略同一の位置で構成したものであり、上段の庫内棚から下段の庫内棚までが段差とともにほぼ同じ位置なので、使用者が扉を開いたときに見た目の統一感があって、かつデザイン性にも優れるものとなる。
【００３０】
また、庫内棚を同じ形状にすることから、複数の棚を同一部品で構成することができ、より安価なコストにすることが可能となる。
【００３１】
請求項７に記載の発明は、請求項１から６のいずれか一項に記載の発明において、前記庫内棚は、透明性を有した平板状の材質で構成したものであり、比較的薄い平板状にすることで、最も視覚的に気になる棚の前辺に圧迫感を持つことがなく、しかも透明性にすることで、貯蔵室全体の圧迫感をなくし広々感を損なうことがない。仮に照明をつけたときにでも光が貯蔵室全体に行き渡らせることが可能となる。
【００３２】
請求項８に記載の発明は、請求項７に記載の発明において、前記庫内棚は、平板状のガラスで構成されたものであり、段差を設けて凹み部を形成し、一般的に歪み強度が弱くなる凹み部を経時変化のないガラスで構成することにより、比較的重い収納物を庫内棚に載置したとしても大きな撓みや割れに至ことなく、使用者にとって安心かつ安全に使用することが可能となる。
【００３３】
請求項９に記載の発明は、請求項７または８に記載の発明において、前記庫内棚は、左辺、右辺及び後辺のうち少なくとも一辺が、前記断熱箱体の内箱に支持され、前辺部の端面または前辺部を含む４辺を樹脂部材で覆うことにより、ガラスと樹脂部材の境界に段差ができるため、食品の落下を防止すると共に、食品を出し入れする際や庫内棚を差し替える際のガラス端面と手との接触によるケガやガラス端面を起点とする割れを防止し、安心して使用することができる。
【００３４】
請求項１０に記載の発明は、請求項１から９のいずれか一項に記載の発明において、前記貯蔵室を冷蔵室とし、冷蔵庫を形成する前記断熱箱体の最上部に位置させたものであり、最も使用頻度が高く、様々な形状の収納物を入れる冷蔵室を、使用者が一番使いやすい目線の位置に配置することができ、さらに使い勝手を向上させることができる。
【００３５】
以下、本発明による冷蔵庫の実施の形態について、図面を参照しながら説明する。なお、この実施の形態によってこの発明が限定されるものではない。
【００３６】
（実施の形態１）
以下、本発明の実施の形態１を図１から図６に基づいて説明する。図１は本発明の実施の形態１における冷蔵庫の正面図である。図２は同実施の形態における冷蔵庫の扉を開けた時の斜視図である。図３は同実施の形態における冷蔵庫の平面断面図（図１のＡ−Ａ線断面図）である。図４は同実施の形態における冷蔵庫の貯蔵室内の庫内棚の斜視図である。図５は同実施の形態における左扉を開けたときの冷蔵庫の縦断面図である。図６は同実施の形態における冷蔵室の平面断面図である。
【００３７】
図１から図６において、冷蔵庫本体５１は断熱箱体５２内に複数に区画された貯蔵室を有しており、上部より冷蔵室５３、製氷室５４及びこの製氷室５４に併設され、庫内の温度が可変できる切換室５５、その下部に野菜室５６、冷凍室５７の順に配置されている。
【００３８】
各貯蔵室の前面開口部には、例えばウレタンのような発泡断熱材を発泡充填した断熱扉が設けられ、冷蔵室５３には断熱箱体５２の前面開口を左右に区画する左扉６０ａ、右扉６０ｂが、製氷室５４、切換室５５、野菜室５６、冷凍室５７にはそれぞれ引き出し式の扉６１、６２、６３、６４が設けられている。前述した左扉６０ａ、右扉６０ｂは貯蔵室の収納形態によって、双方を中央側から外側に開く観音開き方式や一方を引き出し式扉で構成することもある。
【００３９】
断熱箱体５２は、ＡＢＳなどの樹脂体を真空成型した内箱７０とプリコート鋼板などの金属材料を用いた外箱７１とで構成された空間に発泡断熱材７２を注入してなる断熱壁を備えている。
【００４０】
野菜室５６と冷凍室５７の後方には、図示しない冷却器およびファンをそれぞれ設けて、本体下部に設置した圧縮機の駆動により、前記冷却器によって冷却された冷気を各貯蔵室に送り、それぞれを所定の温度に冷却制御している。
【００４１】
冷蔵室５３は、食品などを整理して収納するための複数の庫内棚８０を配置して、複数段に亙る貯蔵品の収納空間を形成しており、その前面開口には、それぞれ断熱箱体５２の左右端の上下部をヒンジ８１で枢支した左扉６０ａおよび右扉６０ｂを回動自在に設置し、観音開き方式で閉塞している。また、収納空間の最下段には、肉魚などの保鮮性向上のためのチルドケース８２やタマゴ等を収納する小物ケース８３を配置している。
【００４２】
冷蔵室５３の後方には、前記冷却器によって冷やされた冷気を貯蔵室内に送風するための冷気ダクト８４を設けている。一般的に冷気ダクト８４は断熱箱体５２の背面のほぼ全体で構成するものであり、必要に応じて庫内棚８０のそれぞれの間に図示しない吐出孔を設けて、それぞれの収納空間に冷気を行き渡らせるよう構成したり、複数の庫内棚８０の位置決め手段や固定手段に用いることもできる。
【００４３】
また、冷蔵室５３の壁面を構成する内箱７０の前方位置の左右両側を凹ませた空間に照明装置８７を設けて、図示しないカバーなどでその空間を覆うよう構成していて、前方から貯蔵室内を照らせるように設置してある。照明装置８７は貯蔵室内の背面を冷気ダクト８４や天井に設けてもよく、また複数の照明装置８７を設置してもよい。
【００４４】
観音開き方式の左扉６０ａと右扉６０ｂの内側縁部には、ガスケット８５を取り付けて貯蔵室内の冷気の外部への流出を防止するとともに、冷蔵室５３の前面開口中央部に位置する両扉間においては、仕切体８６を配置し、両扉が閉まった時にその仕切体８６とガスケット８５によって、両扉間の隙間をシールするよう構成されている。なお、前記構成については特に図示しないが、前記ガスケット同士の接触により中央部に仕切体８６を設置しないで、左右扉間のシールをおこなうようにしてもよい。
【００４５】
また、収納性や使い勝手の観点から、左扉６０ａは右扉６０ｂより幅方向の寸法が小さく構成されており、製氷室５４と切換室５５とが分割された位置とほぼ同じ位置で分割されている。また、両扉の貯蔵室内側にそれぞれ上下方向に複数の左ドアポケット９０、複数の右ドアポケット９１を配置して、複数段に亙る貯蔵品の収納空間を形成しており、主に飲料などのペットボトルや調味料などのビン類を収納する目的で前後左右壁を有し上方が開口された形となっていて、扉内板８９などに一体形成した図示しない保持部材などにより固定され、保持強度を確保している。ここでの後壁は扉内板８９で構成することもできる。
【００４６】
本実施の形態のドアポケットは、前述した扉と同様に左ドアポケット９０を右ドアポケット９１よりも幅方向で小さく構成し、さらに左ドアポケット９０の上面開口の奥行き寸法Ｃと右ドアポケット９１の上面開口の奥行き寸法Ｄとの関係がＣ＜Ｄとなるよう形成する。すなわち、右ドアポケット９１の方がより貯蔵室内側へ突出し収納スペースを大きくするよう構成されている。
【００４７】
これは、観音開き方式の扉がお互いに干渉しないための回転軌跡線（図３中の一点鎖線）からも分かるように、右ドアポケット９１は奥行き寸法が大きいために、貯蔵室内側で左側に傾斜部分を有するような形状にしていて、これに対し左ドアポケット９０は奥行き寸法が小さいために、傾斜部分を構成しなくとも回転軌跡以内で形成することができている。すなわち、一般的にはドアポケットの奥行きが大きくなればその傾斜部分は急になり、無効スペースの増加に繋がってくる。
【００４８】
次に、庫内棚８０は、前述した左ドアポケット９０、右ドアポケット９１と冷気ダクト８４との間の貯蔵室空間内に左ドアポケット９０、右ドアポケット９１と前後方向で干渉しないようにある程度の隙間を設けて、内箱７０に一体成形された突起などに載置されるかたちで保持及び支持固定され、上下方向でほぼ水平になるよう配置されている。
【００４９】
したがって、庫内棚８０はその左端辺奥行き寸法Ｅの凸部９３と右端辺の奥行き寸法Ｆの凹部９４を形成し、Ｅ＞Ｆという凹凸関係を有して、従来の冷蔵庫にはなかった庫内棚８０の前端辺に、収納物を載置する載置面の奥行き寸法が幅方向で異なるように前後方向における段差９２を形成し、さらに扉側を前方としたときに、庫内棚８０の庫内手前側の前辺のうちの最前辺９６が庫内側へ突出している右ドアポケットの奥辺のうち最奥辺９７より庫内手前側に位置していることになる。
【００５０】
また、図４に示すように、庫内棚８０は収納物を載置しやすいよう平らな板状で構成され、貯蔵室内に広々感と清潔感を持たせるために透明性を有した材質で構成するのが一般的である。その左右端辺は断熱箱体５２の内箱７０との図示しない凹凸により支持され、収納物の形状などに応じて、高さ方向に差替えができたり、庫内棚８０を折りたたんで奥行き方向の寸法を可変したりすることができるよう構成されるものもある。
【００５１】
以上のように構成された冷蔵庫について、以下その作用を説明する。
【００５２】
まず、冷蔵室５３の前面開口に構成される観音開き方式の左扉６０ａ、右扉６０ｂはヒンジ８１を軸にして冷蔵庫本体１の中央付近から外側に回転して開き、扉内側に設けた左ドアポケット９０、右ドアポケット９１もそれぞれの扉とともに回動する。このとき一方の扉と他方の扉とを干渉させないようにその回転軌跡内の形状にする必要がある。したがって、右ドアポケット９１に図３に示すような回転軌跡（一点鎖線ライン）の内側の形状にするために傾斜部分を設ける必要があり、この傾斜部分を形成することでドアポケット９０、９１と庫内棚８０との空間の仕切体８６の後方付近に無効スペースができるのが一般的であった。
【００５３】
本実施の形態では、左ドアポケット９０は左扉６０ａの回転軌跡内に前述したような傾斜部分を作ることなく幅及び奥行き寸法を小さく構成するとともに、右ドアポケット９１は右扉６０ｂの回転軌跡内に左ドアポケット９０よりも奥行き寸法を大きく構成し、かつ庫内棚８０の右サイドには右ドアポケット９１の傾斜部分に沿った形で前辺に奥行き方向の凹部９４を設け、一方左サイドには左ドアポケット９０の近傍まで突出させる形で凸部９３を形成することで、仕切体８６の後方付近にできる無効スペースを小さくし、貯蔵室内の収納スペースを増加させることが可能となる。
【００５４】
特に、右ドアポケット９１の形状に沿うような形で凹部９４を構成することは、庫内棚８０との空間を最も小さくすることが可能となるため、ドアポケット９０、９１と庫内棚８０とを合わせた貯蔵室全体の収納可能な棚底面積を拡大し、収納スペースを効率良く増加させる形状であるといえる。
【００５５】
上記のことから、左ドアポケット９０の小さくなった収納スペースを補うべく、右ドアポケット９１を通常の奥行き寸法よりも大きく構成することで、両ドアポケットを合わせた収納スペースはそのままで庫内棚８０の収納スペースのみを増加させたという、使用者に大きく訴えられるものにできる。
【００５６】
また、前述したような観音開き方式の扉の回転軌跡による無効スペースは、ヒンジ８１の位置を前にするなどによって回転軌跡の位置を前方へ移動させて、その大きさを抑制することは可能であるが、近年ペットボトルやビン類の消費量の増加や、扉を開けてすぐに出し入れできるという利便性からもドアポケットの収納スペースを大きくする、すなわち貯蔵室内側へより突出する傾向が高まりつつあり、さらに回転軌跡による無効スペースが増加する傾向にあることからも非常に効果的であることが分かる。
【００５７】
上述した内容は、冷蔵室５３の単なる一断面による効果であり、観音開き方式の扉はその全高でドアポケット９０、９１の回転軌跡形状は同じことからも、複数段に亙って収納空間を構成している複数の庫内棚８０及び複数のドアポケット９０、９１をほぼ同様の形状にすることによって、貯蔵室内の全高に亙って収納スペースを増加することができ、大きな効果を得ることができる。
【００５８】
また、上下方向の複数段で構成される庫内棚８０を、上段から下段までの各棚の前端辺をほぼ同じ位置にする、すなわち前後左右方向でほぼ同じ位置に段差９２を構成することで、使用者による見た目の統一感がとれるとともに、非常にデザイン性にも優れるものとなる。さらに、複数の庫内棚８０を同一部品にできる可能性があり、部品の兼用化による安価なコストでの構成や製造工程での作業負担軽減による製造コストの低減にも寄与する。左ドアポケット９０、右ドアポケット９１に関しても庫内棚８０と同様に上下に亙る複数の部品を兼用化する可能性もあり、その場合は非常に効果的である。
【００５９】
次に、庫内棚８０は、奥行きの大小を形成したドアポケット９０、９１によって凸部９３と凹部９４を構成することで、凸部９２に従来にないような大きなスペースを生みだすことができる。特に、奥行きを深くできることが大きな特徴であり、取っ手つきの鍋や一升瓶などの非常に長い収納物を邪魔にならずに簡単に収納できるようになる。これは、単に左右ドアポケット９０、９１の奥行き寸法Ｃ、Ｄを小さくし、庫内棚８０の奥行き寸法Ｅ、Ｆを大きくすれば実現できることであるが、この場合は、前述したように使用者にとって非常に利便性の高いドアポケットの収納量を減少させてしまうため、逆に冷蔵室５３の収納性が悪くなって使い難いものになってしまう。
【００６０】
また、庫内棚８０は比較的薄い平板状にすることで、複数段に亙る貯蔵品の収納空間を極力大きくとれ、収納スペースを増加することができるとともに、最も視覚的に気になる棚の前端辺に圧迫感を持つことがなく、しかも透明性の材質にすることで、貯蔵室全体の圧迫感をなくし広々感を損なうことがない。
【００６１】
また、庫内棚８０の段差９２は角張った段ではなく、滑らかなウェーブ状に構成すること、例えばＲ形状としたり、Ｃ面とり形状にすることによって応力集中や歪みを防止するための補強構造として活用し、収納物を載置したときでも、たわみや割れを防止できるとともに、見た目にも綺麗でデザイン的にも優れたものになることからも非常に有効な手段である。
【００６２】
また、特に、収納物を出し入れする間口を形成する庫内棚８０の前端辺はどこにも支持されないのが一般的であり、補強構造として平板状のガラスの前辺部を例えばウェーブ状にカットしたものにて構成することやウェーブ状の型ガラスを用いることで、さらに強度を増すことができるとともに、前端辺に補強用のアングル状の金属部材等を用いる必要がなくなる。
【００６３】
また、ガラスの前辺部または前辺部を含む４辺を樹脂部材９８で覆う構造にすることで、ガラスと樹脂部材９８の境界に段差ができるため、食品の落下を防止すると共に、食品の出し入れをする際や、庫内棚を差替える際のガラス端面と指との接触によるケガやガラス端面を起点とする割れを防止し、安心して使うことができる。なお、ガラスを覆う樹脂部材９８はインサート成形により形成するとしても、また樹脂部材９８だけを成形し、ガラスに取り付けることで形成するとしても同様の効果を得ることができる。
【００６４】
なお、上記の庫内棚８０は単一の平板状で構成させるもので説明したが、ちょうど段差９２付近で分割された２部品構成であっても、凸部９３を構成する棚、凹部９４を構成する棚、その間に段差９２が形成され、無効スペースをある程度小さくする上では同様の効果が得られるものである。
【００６５】
なお、庫内棚８０はガラス材料でなく例えば透明の樹脂材料で成型してもよく、この場合支持部から遠く、延出した形状となり強度的に条件の厳しい段差９２の近傍を中心として庫内棚８０前端辺に何らかの補強を必要とする可能性が高い。
【００６６】
また、奥行きが浅くなった左ドアポケット９０は、図５のように、仮に９０度しか開かない場合においても、その奥行き寸法Ｃを小さくしているため、間口寸法Ｇを広くとることができ、庫内棚８０の載置されている収納物は、凸部９３によって手前に位置させることも合わせて出し入れしやすくなるという利点も有する。
【００６７】
総じて、本実施の形態の冷蔵室５３は、冷蔵庫本体５１の最上部に配置されることで、近年主流となっている内容積が４００Ｌ超タイプである本体高さ１８００ｍｍ程度の冷蔵庫において、使用者のちょうど目線と同じラインに位置し、収納物の出し入れが簡単にできるとともに、観音開き方式の扉６０ａ、６０ｂに設けたドアポケット９０、９１、庫内棚８０の形状に前述したような工夫を凝らすことで、飛躍的に貯蔵室内の収納スペースを増加させるとともに、収納物の大きさ、形状にあわせた効率の良い収納を実現できる。
【００６８】
例えば、調味量やドレッシングなどの比較的小さいビン類を収納する左ドアポケット９０、ペットボトルや牛乳パックなどの比較的大きいものを収納する右ドアポケット９１、庫内棚８０も奥行が深く幅が狭い凸部９３を頻繁に出し入れしない食材を収納するストックゾーン、奥行きが浅く幅が広い凹部９４を頻繁に出し入れする食材を収納するフローゾーンというかたちで貯蔵室内を大きく４つのゾーンに区画し、目的に応じた区分収納を提案することが可能となる。
【００６９】
また、冷蔵室５３の前面開口を最も大きいものとし、その下方に引出し扉を備えた製氷室５４、野菜室５５、冷凍室５６などを構成することで、非常に使い勝手のよい貯蔵室配置を実現できる。
【００７０】
以上説明した実施の形態は、本発明の一実施の形態にすぎず、種々の変更、応用が可能である。
【００７１】
例えば、左扉６０ａは右扉６０ｂよりも幅が小さいという形態で説明したが、両扉を分割する比率がどのような形であっても、奥行き寸法の大きいドアポケット側に相対する庫内棚８０の凹部９４を形成し、奥行き寸法の小さいドアポケット側に相対する庫内棚８０の凸部９３を構成することで、収納スペースの増加量に若干の差はあるものの、ほぼ同様の効果が得られる。
【００７２】
また、左ドアポケット９０の奥行き寸法を小さいものとしたが、比較的右利きの使用者が多い中で、使い勝手面において配慮したものであり、仮に左右ドアポケットの構成が逆であったとしても同様の効果が得られることは言うまでもない。
【産業上の利用可能性】
【００７３】
本発明は貯蔵室内を左右に分断する扉、主に観音開き方式の扉の無効スペースを小さくし、ドアポケットおよび庫内棚の収納スペースを増加させることはもちろんのこと、収納物の形状に見合った収納空間を構成することによる効率の良い区分収納ができ、同様の形態でドアポケットを備えた種々の冷却貯蔵庫に適用が可能である。
【図面の簡単な説明】
【００７４】
【図１】本発明の実施の形態１における冷蔵庫の正面図
【図２】同実施の形態における冷蔵室扉を開けたときの冷蔵庫の斜視図
【図３】図１のＡ−Ａ線断面図
【図４】同実施の形態における冷蔵室の庫内棚の斜視図
【図５】同実施の形態における左扉を開けたときの冷蔵庫の縦断面図
【図６】同実施の形態における冷蔵室の平面断面図
【図７】従来の冷蔵庫の冷蔵室扉を開けたときの斜視図
【図８】従来の冷蔵庫の冷蔵室の平面断面図
【符号の説明】
【００７５】
５１  冷蔵庫本体
５２  断熱箱体
５３  冷蔵室（貯蔵室）
６０ａ  左扉
６０ｂ  右扉
８０  庫内棚
９０  左ドアポケット
９１  右ドアポケット
９２  段差
９４  凹部
９５  ガラス
９６  庫内最前辺
９７  右ドアポケット最奥辺
９８  樹脂部材
【図１】
2008151409.tif 000003
【図２】
2008151409.tif 000004
【図３】
2008151409.tif 000005
【図４】
2008151409.tif 000006
【図５】
2008151409.tif 000007
【図６】
2008151409.tif 000008
【図７】
2008151409.tif 000009
【図８】
2008151409.tif 000010